(57)【要約】【課題】  駆動信号によるノイズの影響を軽減でき、かつ固体撮像素子の種類が異なる場合にも対応し易い内視鏡を提供する。【解決手段】  ＣＣＤ６を内蔵した内視鏡２における信号コネクタ１２ｂ内には、ＣＣＤ６を駆動する駆動信号を生成する駆動回路１９が実装されたコネクタ基板１７が設けられ、かつこのコネクタ基板１７には、駆動信号がノイズとして混入するのを防止するために駆動回路１９から離間してしてＣＣＤ６の出力信号を伝送する信号パターン２７を設けている。【選択図】  図１
2006055223.tif 000002
【特許請求の範囲】
【請求項１】
固体撮像素子と、前記固体撮像素子を駆動する駆動回路とを内蔵した内視鏡において、  前記固体撮像素子の出力信号を、前記駆動回路からの駆動信号から分離して信号伝送を行う信号分離伝送手段を設けたことを特徴とする内視鏡。
【請求項２】
前記信号分離伝送手段は、回路基板に実装された前記駆動回路と離間して設けられ、前記固体撮像素子の出力信号を伝送する回路パターン又は同軸ケーブルにより形成されることを特徴とする請求項１に記載の内視鏡。
【請求項３】
前記信号分離伝送手段は、前記固体撮像素子の近傍に配置され、前記固体撮像素子の出力信号を電流増幅するバッファ回路と、前記バッファ回路を経た前記出力信号を伝送する同軸ケーブルとにより形成されることを特徴とする請求項１に記載の内視鏡。
【発明の詳細な説明】
【技術分野】
【０００１】
本発明は、固体撮像素子及び駆動回路を備えた内視鏡に関する。
【背景技術】
【０００２】
近年、固体撮像素子を備えた内視鏡は、医療用分野及び工業用分野において広く採用されるようになった。  
図１３は、従来の内視鏡システム６１を示す。この内視鏡システム６１は、体腔内等に挿入される電子内視鏡６２と、この電子内視鏡６２に照明光を供給する光源装置６３と、電子内視鏡６２に内蔵された固体撮像素子としての電荷結像素子（ＣＣＤと略記）６６を駆動すると共に、その出力信号に対する信号処理を行う信号処理装置としてのビデオプロセッサ装置６４と、このビデオプロセッサ装置６４から出力される映像信号が入力されることにより、ＣＣＤ６６により撮像した内視鏡画像を表示する観察モニタ６５とからなる。
【０００３】
電子内視鏡６２は、体腔内等に挿入される細長の挿入部６７と、この挿入部６７の後端に設けられた操作部６８と、この操作部６８から延出されたユニバーサルケーブル部６９とを有する。  
このユニバーサルケーブル部６９の末端側はライトガイドケーブル部７１ａと信号ケーブル部７１ｂとに分離され、ライトガイドケーブル部７１ａの端部のライトガイドコネクタ７２ａは、光源装置６３に着脱自在に接続され、信号ケーブル部７１ｂの端部の信号コネクタ７２ｂは、ビデオプロセッサ装置６４に着脱自在に接続される。  
挿入部６７内には、照明光を伝送するライトガイド７３が挿通され、このライトガイド７３の後端側は、操作部６８からユニバーサルケーブル部６９内を挿通され、ライトガイドコネクタ７２ａが光源装置６３に装着されることにより、ライトガイド７３の後端の入射端には、光源装置６３内の図示しないランプから照明光が供給される。
【０００４】
そして、このライトガイド７３により伝送された照明光は、挿入部６７の先端部７４の照明窓から外部に出射され、患部等の被写体を照明する。  
照明された被写体は、先端部７４における照明窓に隣接して設けられた観察窓に取り付けられた対物レンズ７５により、その結像位置に配置されたＣＣＤ６６に結像される。
【０００５】
このＣＣＤ６６は、挿入部６７内部などを挿通された信号線７６により信号コネクタ７２ｂ内に配置されたコネクタ基板７７に接続されている。  
このコネクタ基板７７の端部は、ビデオプロセッサ装置６４側の装置コネクタ７８に着脱自在に接続される。このコネクタ基板７７は、ＣＣＤ６６を駆動する駆動回路が形成されていると共に、ＣＣＤ６６から出力される出力信号パターン等も設けてある。  
このコネクタ基板７７には、ビデオプロセッサ装置６４内のタイミングジェネレータ８１からのタイミング信号が供給される。
【０００６】
また、ＣＣＤ６６から出力される出力信号は、コネクタ基板７７の出力信号パターンを経てビデオプロセッサ装置６４内のプリアンプ８２に入力され、増幅された後、ＣＤＳ回路８３に入力される。  
このＣＤＳ回路８３に入力された信号は、相関二重サンプリング処理され、リセットノイズなどが除去されて信号成分が抽出されたベースバンドの信号に変換された後、Ａ／Ｄ変換回路８４に入力され、デジタルの信号に変換された後、映像信号処理回路８５に入力される。  
この映像信号処理回路８５により、標準のＴＶ信号に変換された後、観察モニタ６５に出力される。
【０００７】
このような構成の従来例は、信号コネクタ７２ｂ内のコネクタ基板７７に駆動回路を設けているので、ビデオプロセッサ装置６４に接続される電子内視鏡６２に搭載されているＣＣＤ６６の種類が異なる場合にも、その電子内視鏡６２に搭載されている駆動回路により対応することができ、ビデオプロセッサ装置６４の回路構成を簡単化することができる。  
換言すると、電子内視鏡６２に搭載されているＣＣＤ６６の種類が異なるような場合にも、簡単な構成のビデオプロセッサ装置６４により、対応がし易い。
【特許文献１】特開２００１−１４５０９９号公報
【発明の開示】
【発明が解決しようとする課題】
【０００８】
しかしながら、図１３に示す従来例は、ＣＣＤ６６の出力信号ラインが駆動回路と共通のコネクタ基板７７上に設けられており、かつ近接して設けられているため、駆動回路に影響され易い。つまり、小さな浮遊容量を介して駆動回路側と結合したような回路系が形成された状況となる。  
このため、駆動回路に大きな電流が流れると、ＣＣＤ６６の出力信号ラインにノイズが混入し易くなる。ＣＣＤ６６の出力信号ラインは、画像のノイズに対して敏感であり、少しでもノイズが混入すると、観察モニタ５上に表示される内視鏡画像の画質が劣化してしまう。
【０００９】
なお、図１３に類似する従来例として、例えば特開２００１−１４５０９９号公報がある。  
この従来例においても内視鏡の信号コネクタ内等に駆動回路等を内蔵した内視鏡システムが開示されている。そして、この従来例においても、図１３と同様に駆動回路側の信号がＣＣＤ出力信号にノイズとなって混入する可能性がある。
【００１０】
（発明の目的）
本発明は、上述した点に鑑みてなされたもので、駆動信号によるノイズの影響を軽減でき、かつ固体撮像素子の種類が異なる場合にも信号処理装置側での回路構成を簡単化するのに適した内視鏡を提供することを目的とする。
【課題を解決するための手段】
【００１１】
本発明は、固体撮像素子と、前記固体撮像素子を駆動する駆動回路とを内蔵した内視鏡において、
前記固体撮像素子の出力信号を、前記駆動回路からの駆動信号から分離して信号伝送を行う信号分離伝送手段を設けたことを特徴とする。  
上記構成により、信号分離伝送手段により、固体撮像素子の出力信号を駆動信号から分離でき、ノイズの影響を軽減でき、かつ駆動回路を内視鏡側に設けることにより、信号処理装置側での回路構成を簡単化できるようにしている。
【発明の効果】
【００１２】
本発明によれば、ノイズの影響を軽減でき、かつ駆動回路を内視鏡側に設けることにより、信号処理装置側での回路構成を簡単化できる。
【発明を実施するための最良の形態】
【００１３】
以下、図面を参照して本発明の実施例を説明する。  
【実施例１】
【００１４】
図１ないし図３は本発明の実施例１に係り、図１は本発明の実施例１を備えた内視鏡システムの全体構成を示し、図２はコネクタ基板周辺部の構成を示し、図３は変形例におけるコネクタ基板周辺部の構成を示す。  
図１に示す本発明の実施例１を備えた内視鏡システム１は、図１３に示す内視鏡システム６１に類似している。  
この内視鏡システム１は、体腔内等に挿入され、撮像手段を内蔵した電子内視鏡（以下、単に内視鏡と略記）２と、この内視鏡２に照明光を供給する光源装置３と、内視鏡２に内蔵された固体撮像素子としての電荷結像素子（ＣＣＤと略記）６の出力信号に対する信号処理を行う信号処理装置としてのビデオプロセッサ装置４と、このビデオプロセッサ装置４から出力される映像信号が入力されることにより、ＣＣＤ６によって撮像した内視鏡画像を表示する観察モニタ５とからなる。
【００１５】
内視鏡２は、体腔内等に挿入される細長の挿入部７と、この挿入部７の後端に設けられた操作部８と、この操作部８から延出されたユニバーサルケーブル部９とを有する。  
このユニバーサルケーブル部９の末端側はライトガイドケーブル部１１ａと信号ケーブル部１１ｂとに分離され、ライトガイドケーブル部１１ａの端部のライトガイドコネクタ１２ａは、光源装置３に着脱自在に接続され、信号ケーブル部１１ｂの端部の信号コネクタ１２ｂは、ビデオプロセッサ装置４に着脱自在に接続される。  
挿入部７内には、照明光を伝送するライトガイド１３が挿通され、このライトガイド１３の後端側は、操作部８からユニバーサルケーブル部９内を挿通され、ライトガイドコネクタ１２ａが光源装置３に装着されることにより、ライトガイド１３の後端の入射端には、光源装置３内の図示しないランプから照明光が供給される。
【００１６】
そして、このライトガイド１３により伝送された照明光は、挿入部７の先端部１４の照明窓から外部に出射され、患部等の被写体を照明する。  
照明された被写体は、先端部１４における照明窓に隣接して設けられた観察窓に取り付けられた対物レンズ１５により、その結像位置に配置されたＣＣＤ６に結像される。  
このＣＣＤ６は、挿入部７内部などを挿通された信号ケーブル１６により信号コネクタ１２ｂ内に配置されたコネクタ基板１７に接続されている。  
このコネクタ基板１７の端部は、ビデオプロセッサ装置４側の装置コネクタ１８に着脱自在に接続される。このコネクタ基板１７は、ＣＣＤ６を駆動する駆動回路１９が形成されていると共に、ＣＣＤ６から出力される出力信号を伝送する出力信号用プリントパターン等も設けてある。
【００１７】
このコネクタ基板１７には、ビデオプロセッサ装置４内のタイミングジェネレータ２１からの各種のタイミング信号が供給され、コネクタ基板１７における駆動回路１９は、供給された各種のタイミング信号から、この内視鏡２に搭載されたＣＣＤ６を適切に駆動する駆動信号を出力する。  
このように各内視鏡２に駆動回路１９を設けることにより、各内視鏡２に搭載された画素数などが異なる各種のＣＣＤ６に適した駆動信号を生成できる。このため、ビデオプロセッサ装置４側の負担を軽減でき、簡単な構成で各種のＣＣＤに対応した信号処理を行うことができるようになる。また、ビデオプロセッサ装置４側で、複数種類の内視鏡に対してＣＣＤ駆動波形の調整を行わなくて済む。
【００１８】
ＣＣＤ６から出力される出力信号は、コネクタ基板１７の出力信号用プリントパターンを経てビデオプロセッサ装置４内のプリアンプ２２に入力され、増幅された後、ＣＤＳ回路２３に入力される。  
このＣＤＳ回路２３に入力された信号は、相関二重サンプリング処理され、リセットノイズなどが除去されて信号成分が抽出されたベースバンドの信号に変換された後、Ａ／Ｄ変換回路２４に入力される。このＡ／Ｄ変換回路２４は、入力信号をデジタルの信号に変換した後、映像信号処理回路２５に出力する。なお、映像信号処理回路２５は、タイミングジェネレータ２１から供給されるタイミング信号に同期した信号処理を行う。  
この映像信号処理回路２５により、標準のＴＶ信号に変換された後、観察モニタ５に出力される。
【００１９】
図２は、本実施例におけるコネクタ基板周辺部の構成を示す。  
内視鏡２内のＣＣＤ６は、同軸ケーブルで形成された信号ケーブル１６を介して（信号コネクタ１２ｂ内の）コネクタ基板１７に接続されている。  
このコネクタ基板１７には、ＣＣＤ６を駆動する駆動回路１９と、この駆動回路１９と物理的に分離（或いは電気的に絶縁）するために距離ｄだけ離間してＣＣＤ６の出力信号Ｖｏｕｔ及びそのグランド（図中ではＧＮＤ）用の信号パターン２７とを設けて、駆動回路１９側に大きな電流が流れても分離（離間）して形成された（信号分離伝送手段或いは信号絶縁伝送手段としての）信号パターン２７にノイズが混入するのを防止或いは抑圧している。  
コネクタ基板１７の端部（の信号コネクタ１２ｂ）は、ビデオプロセッサ装置４の端部（の装置コネクタ１８）に接続された装置内ケーブル２８を介して、ビデオプロセッサ装置４内のビデオプロセッサ基板２９に接続されている。
【００２０】
この場合にも、信号パターン２７の端部に接続されるビデオプロセッサ装置４内の装置内ケーブル２８と接続されるビデオプロセッサ基板２９の端部２９ａは、駆動回路１９と装置内ケーブル２８を介して接続される端部と物理的に離間することにより駆動信号系から電気的に分離形成されている。この端部２９ａは、図１で示したプリアンプ２２に入力される。  
このように本実施例においては、ＣＣＤ出力信号Ｖｏｕｔは、駆動信号系とは分離（或いは絶縁）された状態で、コネクタ基板１７に設けられた信号パターン２７、ビデオプロセッサ装置４の装置内ケーブル２８（具体的には同軸ケーブル）を経てビデオプロセッサ基板２９における他の端部と分離された端部２９ａに導かれる。そして、さらにプリアンプ２２により増幅される。
【００２１】
なお、ビデオプロセッサ基板２９には、例えばタイミングジェネレータ２１から出力される各種の駆動信号生成用の信号φＲ、φＨ１、φＨ２、φＶ１〜φＶ４は、装置内ケーブル２８を介して駆動回路１９の入力側の端部に印加される。そして、駆動回路１９は、ＣＣＤ６の種類に対応した駆動信号を生成して、駆動回路１９の出力端から信号ケーブル１６を介してＣＣＤ６に印加する。なお、駆動回路１９として、駆動信号のタイミングを調整する遅延回路をさらに含む構成にしても良い。  
このような構成の内視鏡システム１においては、内視鏡２は、例えばその信号コネクタ１２ｂ内に、各内視鏡２に搭載されたＣＣＤ６を駆動する駆動回路１９を設けているので、ビデオプロセッサ装置４側における駆動系を簡単な構成で、各種ＣＣＤを搭載した内視鏡に共通して使用することが可能となる。  
また、上述したように本実施例によれば、ＣＣＤ６の出力信号Ｖｏｕｔを駆動信号と信号分離手段により空間的に離間（分離）してビデオプロセッサ装置４内のプリアンプ２２に入力させるようにしているので、駆動信号に比較的大きな電流が流れても出力信号Ｖｏｕｔにノイズが混入することを軽減ないしは抑圧でき、画質の良い内視鏡画像を表示することができる。
【００２２】
図２に示した構成の変形例として、図３のような構成にしても良い。図３は変形例におけるコネクタ基板周辺部の構成を示す。  
図２では、コネクタ基板１７において、駆動回路１９とは離間することにより、分離形成した信号パターン２７を用いていたが、本変形例ではコネクタ基板１７上には信号パターン２７を設けないで、コネクタ基板１７から離間した同軸ケーブル３１によりＣＣＤ６の出力信号Ｖｏｕｔを伝送する信号分離伝送手段或いは信号絶縁伝送手段を形成するようにしている。  
本変形例では、ＣＣＤ６の出力信号Ｖｏｕｔは、同軸ケーブル３１で伝送され、この同軸ケーブル３１の端部は、信号コネクタ１２ｂにおけるビデオプロセッサ装置４の接続部まで延出されている。そして、この接続部に入力された出力信号Ｖｏｕｔは、実施例１の場合と同様に装置内ケーブル２８を介してビデオプロセッサ基板２９の端部２９ａに伝送される。
【００２３】
本変形例の作用効果は実施例１と殆ど同様となる。  
以上説明したように本実施例によれば、内視鏡２側にＣＣＤ６及びそのＣＣＤ６を駆動する駆動回路１９を設けることにより、小規模のビデオプロセッサ装置４により、各種の内視鏡２に共通して使用できるようにすることができると共に、ＣＣＤ６の出力信号Ｖｏｕｔを駆動信号とは分離ないしは絶縁された信号分離伝送手段により伝送するようにしているので、ＣＣＤ６により撮像された信号のＳ／Ｎの劣化を防止できる。従って、画質の良い内視鏡画像を表示できる。
【００２４】
なお、図１に示す構成では、内視鏡２の信号コネクタ１２ｂ内に駆動回路１９を設けた構成を示しているが、例えば上述した特許文献１のように、例えばコネクタ基板１７に駆動回路１９の他に、プリアンプ２２及びＣＤＳ回路２３を実装し、ＣＤＳ回路２３による相関二重サンプリングするタイミングを各内視鏡２側でそれぞれ適切に設定できるようにしても良い。  
つまり、内視鏡２の挿入部７の長さ等が異なると、信号伝送の遅延量が異なるため、ＣＤＳ回路２３による相関二重サンプリングするタイミングも調整することが必要になるが、各内視鏡２内にＣＤＳ回路２３を設けて、その内視鏡２に合わせた設定にすることにより、ビデオプロセッサ装置４側での調整が不必要となり、より簡略な構成で各種の内視鏡に適切に対応ができるようになる。
【実施例２】
【００２５】
次に本発明の実施例２を図４を参照して説明する。本実施例は、例えば実施例１の変形例において、さらに内視鏡２の種類が異なるような場合においても、共通に使用するビデオプロセッサ装置４との間で、より適切な状態で信号伝送を行えるようにする。  
本実施例を備えた内視鏡システム１Ｂにおける主要部の構成を図４に示す。この内視鏡システム１Ｂは、内視鏡２Ｂとビデオプロセッサ装置４Ｂとを有する。  
内視鏡２Ｂには、実施例１の変形例の構成において、さらにＣＣＤ６の近傍に、ＣＣＤ６の出力信号Ｖｏｕｔを電流増幅及びインピーダンス変換を行うバッファ回路（或いはラインドライバ）３６が設けてある。  
このバッファ回路３６は、エミッタフォロワのトランジスタＱ１及び抵抗ｒ１からなり、その出力端には、インピーダンス整合用の抵抗ｒ２を介して同軸ケーブル３１の一端が接続されている。このバッファ回路３６により低インピーダンスに変換して同軸ケーブル３１によりＣＣＤ６の出力信号Ｖｏｕｔが伝送される。
【００２６】
このような構成にすることにより、コネクタ基板１７に設けられた駆動回路１９による駆動信号の影響をより軽減できる信号分離伝送手段を形成している。  
つまり、ＣＣＤ６の出力信号Ｖｏｕｔは、微弱であるので、そのまま同軸ケーブル３１により伝送した場合、この同軸ケーブル３１により駆動回路１９からの駆動信号を伝送する同軸ケーブル１６とかなり分離（絶縁）することができるが、微弱であるがために僅かなノイズの混入によっても影響を受け易い。
【００２７】
これに対して、ＣＣＤ６の出力信号Ｖｏｕｔをバッファ回路３６により電流増幅を行った後、同軸ケーブル３１により伝送する構成にすることにより、分離（絶縁）機能を同じでも、バッファ回路３６により電流増幅を行っているので、ノイズにより受ける影響を大幅に軽減できる。つまり、Ｓ／Ｎの良い信号伝送を行うことができ、画質の良い出力信号の伝送が可能となる。
【００２８】
この同軸ケーブル３１の他端は、ビデオプロセッサ装置４Ｂの入力端に接続され、ＣＣＤ出力信号Ｖｏｕｔは、この入力端に設けられたインピーダンス整合用回路３７を介してプリアンプ２２に入力される。  
つまり、このビデオプロセッサ装置４Ｂは、実施例１のビデオプロセッサ装置４においてＣＣＤ出力信号Ｖｏｕｔが入力される入力端にインピーダンス整合用回路３７が設けられている。  
同軸ケーブル３１の他端は、直流阻止用コンデンサｃ１を介してインピーダンス整合用回路３７を構成するマルチプレクサ３８の共通端子に接続されると共に、エミッタフォロワのトランジスタＱ２のベースに接続される。このトランジスタＱ２の出力端となるエミッタは、抵抗ｒ３を介してグランドに接続されている。
【００２９】
また、マルチプレクサ３８における切り替えられる複数の端子Ｔａ〜Ｔｍには、インピーダンス値がそれぞれ異なる値のＺａ、Ｚｂ，…、Ｚｍの終端用のインピーダンス素子の一端が接続され、他端はグランドに接続されている。また、マルチプレクサ３８における１つの端子Ｔｎには、インピーダンス素子が接続されていない端子となっており、この端子Ｔｎを選択することによりインピーダンス素子で終端しない非終端状態の端子も選択できるようにしている。  
また、各内視鏡２Ｂには、その内視鏡２Ｂの識別情報、つまり内視鏡２ＢのＣＣＤ６の種類や同軸ケーブル３１の特性インピーダンス等を識別可能とする判別用の抵抗３９が設けられている。つまり、抵抗値により識別（判別）を行う抵抗３９が設けられている。    そして、内視鏡２Ｂの信号コネクタがビデオプロセッサ装置４Ｂに接続されると、抵抗３９が接続されたコネクタの接点ピンは、ビデオプロセッサ装置４Ｂに設けられた検知回路４０により、その抵抗値から内視鏡２Ｂにおける同軸ケーブル３１の特性インピーダンス等に関する情報が判別（検知）される。
【００３０】
この検知回路４０による出力信号により、マルチプレクサ３８により選択される端子Ｔｉ（ｉ＝ａ〜ｎ）が自動的に選択決定される。  
このような構成の本実施例によれば、種類が異なる内視鏡２Ｂを、共通のビデオプロセッサ装置４Ｂに接続して使用する場合、同軸ケーブル３１の他端を実際に接続される内視鏡２ＢのＣＣＤ出力信号Ｖｏｕｔを伝送する同軸ケーブル３１の特性インピーダンスと整合するインピーダンス素子で終端することができるようになる。  
また、インピーダンスの整合の他に、ビデオプロセッサ装置４Ｂに入力される入力信号レベルを調整して、適切なレベルの信号を入力させることもできる。このため、共通のビデオプロセッサ装置４Ｂにより、種類が異なるＣＣＤなどを搭載した各種の内視鏡２Ｂに対して広範囲にかつ簡単に対応ができるようになる。
【００３１】
つまり、図４の内視鏡システム１Ｂは、複数の内視鏡撮像系＋信号処理系の組合せを可能とするシステムであり、両者間を電気的に接続する映像信号伝送ラインに関し、これをシステムのレベルダイア等に合わせてその伝送ケーブルの特性インピーダンスで終端／非終端、あるいは任意のインピーダンスで終端の選択を可能とする切り替え機能を備えたことを特徴としている。
【００３２】
従って、本実施例によれば、ＣＣＤ出力信号Ｖｏｕｔを効率良くビデオプロセッサ装置４Ｂ内のプリアンプ２２に入力できるようになり、Ｓ／Ｎの良い状態で信号伝送が可能になる。  
次に本実施例における変形例を説明する。図４に示したように抵抗３９により内視鏡２Ｂの種類などを判別（検知）しようとした場合、判別できる種類が制約される。このため、図５に示すように判別に用いる抵抗３９を２つ３９ａ及び３９ｂにしている。
【００３３】
また、２つの抵抗３９ａ、３９ｂにより判別できる種類以上にも対応できるように、本変形例ではさらに第３の抵抗３９ｃを、コネクタ基板１７に設けている。  
コネクタ基板１７に設けることにより、さらにより多くの種類の内視鏡２Ｂ（図５に示す内視鏡２Ｂ以外の内視鏡も含む）に対応できるようにしている。  
図６は、検知回路４０の構成例を示している。それぞれ一端がグランドに接続された抵抗３９ａ、３９ｂ、３９ｃの他端は、一端が電源端Ｖｃｃに接続された基準の抵抗４１ａ、４１ｂ、４１ｃの他端に接続されると共に、Ａ／Ｄコンバータ４２ａ、４２ｂ、４２ｃの入力端に接続されている。  
そして、Ａ／Ｄコンバータ４２ａ、４２ｂ、４２ｃによりデジタルの電圧信号に変換された後、デコーダ回路４３に入力され、デコーダ回路４３によりデコードされたデータにより、マルチプレクサ３８を切り替える。
【００３４】
このようにコネクタ基板１７にも識別用の抵抗３９ｃを設けることにより、より多くの種類の内視鏡２Ｂを識別することができるようになる。  
なお、図６等の検知回路４０の電源を他の電源と独立して設けた電源を用いるようにしても良い。  
図７は、他の電源とは独立した検知回路用電源Ｖｃにより検知回路による検知動作を行うようにした構成を示す。なお、図７では、検知回路４０をより一般化して、内視鏡側（撮像側）検知回路４０ａと、ビデオプロセッサ側検知回路（図７ではＶＰ側検知回路と略記）４０ｂとに分けて示している。  
検知回路４０ａ及び４０ｂは、検知回路用電源Ｖｃからの電源により動作を行い、検知回路４０ａと接続された伝送線により伝送される検知信号Ｌａ、Ｌｂ、…、Ｌｎにより検知回路４０ｂは、検知動作を行う。
【００３５】
また、ＣＣＤ６とビデオプロセッサ基板２９は、ビデオプロセッサ用電源Ｖｄｄ１、Ｖｄｄ２、…、Ｖｄｄｎから供給される電源により各種の動作を行う。  
その他の構成は、図４等と同様の構成である。  
本変形例によれば、撮像系が異なる内視鏡を特定するための検知回路４０ａ、４０ｂにおいて、フェイルセイフの観点から、検知回路４０ａ、４０ｂに供給される電源Ｖｃを、他の信号処理等で利用する電源Ｖｄｄ１，…、Ｖｄｄｎと独立して設けている。  
これにより、他の信号処理系で故障が発生しても、検知回路４０ａ、４０ｂのみは正常動作させることで、内視鏡に搭載されている撮像系で使用されている高価なＣＣＤ６を破損等することをより確実に防止することができる。
【００３６】
次に図８を参照してビデオプロセッサ装置における変形例の構成を説明する。本変形例では、ビデオプロセッサ装置４のビデオプロセッサ基板を小型化するために２枚に積層化したビデオプロセッサ基板５０ａ、５０ｂに分けている。  
これに対応して、図１に示した装置コネクタ１８からビデオプロセッサ基板５０ａ、５０ｂに接続する装置内ケーブル２８を２枚のフレキシブルプリント基板（ＦＰＣ基板と略記）５１ａ、５１ｂで形成し、その端部にビデオプロセッサ基板５０ａ、５０ｂにそれぞれ接続するコネクタ部５２ａ、５２ｂを設けている。  
この場合、２枚のＦＰＣ基板５１ａ、５１ｂにおける装置コネクタ１８側の接続部は、図９の下、上にそれぞれ示すようにＦＰＣ基板５１ａの信号パターン５２ａのランド部５３ａと、ＦＰＣ基板５１ｂの信号パターン５２ｂのランド部５３ｂとが重ならないレイアウトにしてある。
【００３７】
また、ＦＰＣ基板５１ａ側における（ＦＰＣ基板５１ｂ側の）ランド部５３ｂが上から重ねられる部分のランド部５３ａは、スルーホール構造等にしてある。  
そして、例えば最初にＦＰＣ基板５１ａ側のランド部５３ａを装置コネクタ１８の接続部に半田付けで接続し、その上からＦＰＣ基板５１ｂ側のランド部５３ｂを装置コネクタ１８の接続部に半田付けで接続する。  
このようにして２枚のＦＰＣ基板５１ａ、５１ｂ側のランド部５３ａ，５３ｂを半田付けで接続すると、図１０のようになる。なお、図１０では簡単化のため、ランド部５３ｂの下側のランド部５３ａ等も透視した状態で重ねて示している（後述の図１２でも同様である）。  
この場合、図１１に示すように２枚のＦＰＣ基板５１ａ、５１ｂのランド部５３ａ、５３ｂの大きさが異なるように形成しても良い。そして、上記の場合と同様に半田付けすることにより、図１２のようになる。  
この場合には、半田付けがより容易になるメリットがある。
【００３８】
［付記］
１．請求項１〜３において、さらに内視鏡の識別情報を発生する識別情報発生手段を有する。  
２．付記１において、前記識別情報発生手段は、識別情報を抵抗値に対応付けた抵抗により形成される。  
３．付記２において、前記抵抗は、前記内視鏡の信号用コネクタ内に設けた基板に設けた。  
４．固体撮像素子及び前記固体撮像素子を駆動する駆動回路を内蔵した内視鏡と、前記固体撮像素子に対する信号処理を行う信号処理装置とを備えた内視鏡装置において、
前記固体撮像素子の出力信号を、前記駆動回路からの駆動信号から分離ないしは絶縁する信号絶縁手段を設けたことを特徴とする内視鏡装置。
【００３９】
５．付記４において、各内視鏡には識別情報発生手段が設けられ、前記信号処理装置は、前記識別情報発生手段による識別情報により、信号コネクタが着脱自在に接続される内視鏡を検知する検知手段を有する。  
６．付記５において、前記信号処理装置は、前記検知手段による検知出力により、前記信号コネクタから前記信号処理装置に入力される前記固体撮像素子の出力伝送ラインを終端して入力させる終端用インピーダンス素子を調整する。
【産業上の利用可能性】
【００４０】
各内視鏡内に固体撮像素子と共に駆動回路を設けることにより、共通に使用される信号処理装置による回路規模を小さく、かつ各種の内視鏡に簡単に対応できるようにすると共に、固体撮像素子の出力信号を伝送する信号伝送手段を駆動回路から電気的に絶縁した状態で形成することにより、駆動信号によるノイズの影響を受けにくい信号伝送を可能にした。
【図面の簡単な説明】
【００４１】
【図１】本発明の実施例１を備えた内視鏡システムの全体構成図。
【図２】コネクタ基板周辺部の構成を示すブロック図。
【図３】変形例におけるコネクタ基板周辺部の構成を示すブロック図。
【図４】本発明の実施例２における信号伝送手段周辺部の回路構成を示す図。
【図５】変形例における信号伝送手段周辺部の回路構成を示す図。
【図６】検知回路の構成を示すブロック図。
【図７】検知回路用電源を設けた検知回路の周辺部の構成図。
【図８】２体に分けたビデオプロセッサ基板等の構成を示す斜視図。
【図９】２体のビデオプロセッサ基板に接続される２枚のＦＰＣ基板の構成を示す平面図。
【図１０】接続部側を重ねて半田付けした状態の２枚のＦＰＣ基板を示す図。
【図１１】変形例における２枚のＦＰＣ基板の構成を示す平面図。
【図１２】接続部側を重ねて半田付けした状態の２枚のＦＰＣ基板を示す図。
【図１３】従来の内視鏡システムの全体構成図。
【符号の説明】
【００４２】
１…内視鏡システム
２…（電子）内視鏡
３…光源装置
４…ビデオプロセッサ装置
５…観察モニタ
６…ＣＣＤ
７…挿入部
８…操作部
９…ユニバーサルケーブル部
１１ｂ…信号ケーブル部
１６…信号ケーブル
１７…コネクタ基板
１８…装置コネクタ
１９…駆動回路
２１…タイミングジェネレータ
２２…プリアンプ
２３…ＣＤＳ回路
２７…信号パターン
２８…装置内ケーブル
２９…ビデオプロセッサ基板
３１…同軸ケーブル
３６…バッファ回路
３７…インピーダンス整合用回路
３８…マルチプレクサ
３９…抵抗
４０…検知回路
代理人    弁理士    伊藤  進
【図１】
2006055223.tif 000003
【図２】
2006055223.tif 000004
【図３】
2006055223.tif 000005
【図４】
2006055223.tif 000006
【図５】
2006055223.tif 000007
【図６】
2006055223.tif 000008
【図７】
2006055223.tif 000009
【図８】
2006055223.tif 000010
【図９】
2006055223.tif 000011
【図１０】
2006055223.tif 000012
【図１１】
2006055223.tif 000013
【図１２】
2006055223.tif 000014
【図１３】
2006055223.tif 000015